(57)【特許請求の範囲】
【請求項１】
筐体と、
前記筐体の内部に収容される光ディスク装置と、
を具備し、
前記光ディスク装置は、
一方の面に光ディスクが搭載される方形板状のディスクトレイと、
前記ディスクトレイを覆うカバーと、
前記ディスクトレイと前記カバーとの間に設けられるとともに、前記カバーに対して前記ディスクトレイを前後方向に進退させる進退機構と、
前記ディスクトレイの前記一方の面に設けられるとともに、前記光ディスクを回転させる駆動部と、
前記ディスクトレイの前記一方の面に設けられるとともに、前記光ディスクに光を照射することで情報の記録および再生の少なくとも一方を行う光学ヘッドと、
を備え、
前記カバーは、
前記ディスクトレイの他方の面に対向するとともに、前記ディスクトレイの各辺部に対応するように枠状になった平板部と、
前記平板部の中央に設けられた開口部と、
前記平板部の外周部から立ち上がるとともに、前記ディスクトレイの前方を除く周囲を取り囲む壁部と、
前記ディスクトレイの前記一方の面に対向する部分を開放するように形成されるとともに、前記筐体に近接して配置された開放部と、
を有し、
前記筐体は、キーボードを取り付けるための取付部を有し、
前記取付部は、
格子状に形成されるとともに前記カバーの前記壁部に沿って配置される枠部と、
前記枠部の内側にそれぞれ形成される複数の貫通孔と、
を有することを特徴とする電子機器。
【請求項２】
前記ディスクトレイは、その設置高さを前記平板部と略同一にした底板部を有し、前記底板部は、前記開口部内に収められるとともに、これに前記駆動部と前記光学ヘッドとが載置されており、
前記平板部は、前記ディスクトレイの前方の辺部に対応する連結部を含み、
前記連結部は、前記底板部よりも前記光ディスクから離れた位置に配置されることを特徴とする請求項１に記載の電子機器。
【請求項３】
前記筐体は、前記駆動部の形状に倣うように窪んで形成された凹部を有することを特徴とする請求項２に記載の電子機器。
【請求項４】
筐体と、
前記筐体の内部に収容される光ディスク装置と、
を具備し、
前記光ディスク装置は、
一方の面に光ディスクが搭載される方形板状のディスクトレイと、
前記ディスクトレイを覆うカバーと、
を備え、
前記カバーは、
前記ディスクトレイの他方の面に対向するとともに、前記ディスクトレイの各辺部に対応するように枠状になった平板部と、
前記平板部の中央に設けられた開口部と、
前記平板部の外周部から立ち上がるとともに、前記ディスクトレイの前方を除く周囲を取り囲む壁部と、
前記ディスクトレイの前記一方の面に対向する部分を開放するように形成されるとともに、前記筐体に近接して配置された開放部と、
を有し、
前記筐体は、キーボードを取り付けるための取付部を有し、
前記取付部は、
格子状に形成されるとともに前記カバーの前記壁部に沿って配置される枠部と、
前記枠部の内側にそれぞれ形成される複数の貫通孔と、
を有することを特徴とする電子機器。
【発明の詳細な説明】
【技術分野】
【０００１】
本発明は、薄型化および軽量化を図ることが可能な光ディスク装置を備えた電子機器に関する。
【背景技術】
【０００２】
例えば、ポータブルコンピュータに搭載される光ディスク装置において、アッパーカバーおよびボトムカバーを省略し、厚み寸法を抑えたものが開示されている。この光ディスク装置は、「Ｃ」字状に形成された支持フレームと、支持フレームに対して進退することが可能な一対のレールと、一対のレールの間に渡されたディスクトレイと、を有している。支持フレームは、正面の部分を開放した枠形状、すなわち「Ｃ」字状に形成されている。
【０００３】
支持フレームは、一対のレールがそれぞれ取り付けられる一対の側方部と、一対の側方部を連結する連結部と、側方部および連結部から内側に突出した突出部と、を有している。支持フレームは、全領域において、断面「Ｌ」字形に形成されている。支持フレームの正面にあたる開放部から、ディスクトレイが出し入れされる（例えば、特許文献１参照）。
【特許文献１】特開２００６−１８９４１号公報
【発明の開示】
【発明が解決しようとする課題】
【０００４】
しかしながら、上記従来の光ディスク装置のように、支持フレームを完全に「Ｃ」字状にしてしまうと、側方部がいわゆる片持ち状態で支持されることになる。このため、ディスクトレイを外側に完全に出した状態などに、支持フレームが撓んでしまうおそれがあった。このため、支持フレームの構造には改良の余地があった。
【０００５】
本発明の目的は、機械的強度を維持しつつ、厚み寸法を低減することができる光ディスク装置を備えた電子機器を提供することにある。
【課題を解決するための手段】
【０００６】
前記目的を達成するため、本発明の一つの形態にかかる電子機器は、筐体と、前記筐体の内部に収容される光ディスク装置と、を具備し、前記光ディスク装置は、一方の面に光ディスクが搭載される方形板状のディスクトレイと、前記ディスクトレイを覆うカバーと、前記ディスクトレイと前記カバーとの間に設けられるとともに、前記カバーに対して前記ディスクトレイを前後方向に進退させる進退機構と、前記ディスクトレイの前記一方の面に設けられるとともに、前記光ディスクを回転させる駆動部と、前記ディスクトレイの前記一方の面に設けられるとともに、前記光ディスクに光を照射することで情報の記録および再生の少なくとも一方を行う光学ヘッドと、を備え、前記カバーは、前記ディスクトレイの他方の面に対向するとともに、前記ディスクトレイの各辺部に対応するように枠状になった平板部と、前記平板部の中央に設けられた開口部と、前記平板部の外周部から立ち上がるとともに、前記ディスクトレイの前方を除く周囲を取り囲む壁部と、前記ディスクトレイの前記一方の面に対向する部分を開放するように形成されるとともに、前記筐体に近接して配置された開放部と、を有し、前記筐体は、キーボードを取り付けるための取付部を有し、前記取付部は、格子状に形成されるとともに前記カバーの前記壁部に沿って配置される枠部と、前記枠部の内側にそれぞれ形成される複数の貫通孔と、を有する。
【０００７】
前記目的を達成するため、本発明の一つの形態にかかる光ディスク装置は、一方の面に光ディスクが搭載される方形板状のディスクトレイと、前記ディスクトレイを覆うカバーと、前記ディスクトレイと前記カバーとの間に設けられるとともに、前記カバーに対して前記ディスクトレイを前後方向に進退させる進退機構と、前記ディスクトレイの前記一方の面に設けられるとともに、前記光ディスクを回転させる駆動部と、前記ディスクトレイの前記一方の面に設けられるとともに、前記光ディスクに光を照射することで情報の記録および再生の少なくとも一方を行う光学ヘッドと、を具備し、前記カバーは、前記ディスクトレイの他方の面に対向するとともに、前記ディスクトレイの各辺部に対応するように枠状になった平板部と、前記平板部の中央に設けられた開口部と、前記平板部の外周部から立ち上がるとともに、前記ディスクトレイの前方を除く周囲を取り囲む壁部と、前記ディスクトレイの前記一方の面に対向する部分を開放するように形成される開放部と、を有する。
【発明の効果】
【０００８】
本発明によれば、機械的強度を維持しつつ、厚み寸法を低減することができる光ディスク装置を備えた電子機器を提供できる。
【発明を実施するための最良の形態】
【０００９】
以下に、図１から図９を参照して、電子機器の実施形態について説明する。図１に示すように、電子機器の一例であるポータブルコンピュータは、いわゆるノートブック型のパーソナルコンピュータである。
【００１０】
ポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を支持しており、表示ユニット１３を本体ユニット１２に対して回動させることができる。図１に示すように、表示ユニット１３は、液晶ディスプレイ１５と、液晶ディスプレイ１５の周囲を囲むケース１６と、を有している。
【００１１】
本体ユニット１２は、筐体２１と、筐体２１の内部に収容される図示しないプリント回路板と、筐体２１に取り付けられたキーボード２２と、ポインティングデバイスであるタッチパッド２３およびボタン２４と、光ディスク装置２５と、を有している。プリント回路板は、図示省略したが、ＣＰＵ（central processing unit）などの主要な回路部品を実装している。
【００１２】
筐体２１は、例えば、マグネシウム合金によって形成されている。筐体２１は、高さ方向に２分割されて形成されており、上側の第１の部分２１Ａと、下側の第２の部分２１Ｂとを有している。図２と図３に示すように、筐体２１の第１の部分２１Ａは、キーボード２２を取り付けるための取付部２６と、取付部２６に形成された複数の貫通孔２７と、複数の貫通孔２７の周囲を規定する枠部２８と、を有している。取付部２６は、筐体２１の周囲の部分に対して窪んで形成されている。枠部２８は、格子状に形成されている。枠部２８は、後述する光ディスク装置２５のカバー３５の壁部５３に対応しており、壁部５３に沿って配置するように形成されている。複数の貫通孔２７は、例えば、筐体２１を軽量化する目的で形成されており、枠部２８の内側にそれぞれ形成されている。枠部２８は、光ディスク装置２５に向かって突出した突出部３１を有している。筐体２１は、撓んだ際に突出部３１を介してカバー３５の壁部５３に突き当たる。図４に示すように、突出部３１とカバー３５の壁部５３との間には、所定の大きさの隙間Ｄが形成されている。
【００１３】
図３に示すように、筐体２１は、さらに、円形の凹部３２を有しており、円形の凹部３２は、光ディスク装置２５の駆動部３７の形状に倣うように窪んで形成されている。円形の凹部３２を設けることで、筐体２１が撓んだ際に筐体２１と駆動部３７とが干渉することが防止される。これによって、光ディスク装置２５を筐体２１に近接した位置に配置して、ポータブルコンピュータ１１を薄型化が図られている。なお、複数の貫通孔２７を覆うように図示しないフィルム部材が配置されており、筐体２１内部の防水が確保されている。なお、筐体２１は、マグネシウム合金によって形成されているが、これに限定されるものではなく、合成樹脂によって形成してもよい。
【００１４】
図５から図８に示すように、光ディスク装置２５は、方形板状のディスクトレイ３３と、ディスクトレイ３３に前方に取り付けられたベゼル３４と、ディスクトレイ３３を覆うカバー３５と、ディスクトレイ３３とカバー３５との間に設けられた進退機構である一対のレール３６と、ディスクトレイ３３の一方の面に設けられる駆動部３７および光学ヘッド３８と、カバー３５に取り付けられた基板３９と、基板３９とディスクトレイ３３とを電気的に接続するフレキシブルプリント配線板４０と、基板３９上に設けられたコネクタ４１と、コネクタ４１とプリント回路板とを接続するケーブル４２と、を備えている。
【００１５】
一対のレール３６は、金属によって、「Ｃ」字状の断面形状をなすように形成されている。一対のレール３６は、カバー３５に対してディスクトレイ３３を前後方向に進退させることができる。駆動部３７は、モータで構成され、光ディスク４６を回転駆動することができる。光学ヘッド３８は、ヘッド本体３８Ａと、ヘッド本体３８Ａを光ディスク４６の半径方向に移動させる移動機構３８Ｂと、を有している。ヘッド本体３８Ａは、例えば、ＤＶＤ用半導体レーザおよびＣＤ用半導体レーザなどを有している。ヘッド本体３８Ａは、光ディスク４６に対してレーザ光を照射し、且つ、光ディスク４６で反射した反射光を受光することができる。ヘッド本体３８Ａは、光ディスク４６に対する情報の記録と、光ディスク４６からの情報の読み出しと、を行うことができる。
【００１６】
図４に示すように、ディスクトレイ３３は、光ディスク４６が搭載される一方の面３３Ａと、一方の面３３Ａとは反対側の他方の面３３Ｂと、を有している。図９に示すように、ディスクトレイ３３は、金属製のフレーム４７と、フレーム４７の上方に載置される合成樹脂製の装着部４８を有している。この装着部４８に、光ディスク４６が装着される。図７に示すように、ディスクトレイ３３は、五角形の形状をなした底板部４７Ａを備えており、底板部４７Ａは、カバー３５の開口部５２内に収められる。底板部４７Ａは、フレーム４７の一部で構成されている。図９に示すように、底板部４７Ａの設置高さは、平板部５１の設置高さと略同一になっている。底板部４７Ａ上に、駆動部３７と光学ヘッド３８とが載せこまれている。
【００１７】
図５から図８に示すように、カバー３５は、ディスクトレイ３３の他方の面３３Ｂに対向する平板部５１と、平板部５１の中央に形成された開口部５２と、平板部５１の外周部から立ち上がる壁部５３と、ディスクトレイ３３の一方の面３３Ａに対向する部分を開放するように形成される開放部５４と、を有している。壁部５３は、ディスクトレイ３３の前方を除く周囲、つまりディスクトレイ３３の後方および側方を取り囲んでいる。開口部５２は、底板部４７Ａの形状と略同一の五角形に形成されている。平板部５１は、ディスクトレイ３３の各辺部に対応するように枠状に形成されている。図４に示すように、光ディスク装置２５は、開放部５４を筐体２１の内面に近接させるように配置されている。
【００１８】
平板部５１は、連結部５５を含んでおり、連結部５５は、ディスクトレイ３３の前方の辺部に対応している。図９に示すように、連結部５５は、平板部５１の他の部分に対して下方に突出するように形成されている。連結部５５は、ディスクトレイ３３の底板部４７Ａよりも光ディスク４６から離れた位置に配置されている。このため、ディスクトレイ３３を前後方向に進退させる際に、連結部５５がディスクトレイ３３に干渉することがないようになっている。
【００１９】
光ディスク装置２５は、さらに図示しないイジェクトボタンを有しており、イジェクトボタンの押下によって、図示しないソレノイドおよびばねが駆動して、ディスクトレイ３３の一部を突出させる。これによって、ディスクトレイ３３は、カバー３５に対して一部が突出した状態になる。このディスクトレイ３３のベゼル３４などに指を掛けることで、ユーザはディスクトレイ３３を前後方向に移動させることができる。
【００２０】
本実施形態によれば、ポータブルコンピュータ１１は、筐体２１と、筐体２１の内部に収容される光ディスク装置２５と、を具備し、光ディスク装置２５は、一方の面３３Ａに光ディスク４６が搭載される方形板状のディスクトレイ３３と、ディスクトレイ３３を覆うカバー３５と、ディスクトレイ３３とカバー３５との間に設けられるとともに、カバー３５に対してディスクトレイ３３を前後方向に進退させる進退機構と、ディスクトレイ３３の一方の面３３Ａに設けられるとともに、光ディスク４６を回転させる駆動部３７と、ディスクトレイ３３の一方の面３３Ａに設けられるとともに、光ディスク４６に光を照射することで情報の記録および再生の少なくとも一方を行う光学ヘッド３８と、を備え、カバー３５は、ディスクトレイ３３の他方の面３３Ｂに対向するとともに、ディスクトレイ３３の各辺部に対応するように枠状になった平板部５１と、平板部５１の中央に設けられた開口部５２と、平板部５１の外周部から立ち上がるとともに、ディスクトレイ３３の前方を除く周囲を取り囲む壁部５３と、ディスクトレイ３３の一方の面３３Ａに対向する部分を開放するように形成されるとともに、筐体２１に近接して配置された開放部５４と、を有する。
【００２１】
この構成によれば、光ディスク装置２５のディスクトレイ３３を覆うカバー３５のうち、ディスクトレイ３３と筐体２１との間にあるものについて省略することができる。これによって、ポータブルコンピュータ１１の軽量化および薄型化を図ることができる。また、筐体２１に近接して開放部５４が設けられることになるため、筐体２１にカバー３５の機能を兼ねさせることができる。これによって、ディスクトレイ３３の一方の面３３Ａに対向する部分を開放するようにしても、この部分から埃などが進入するなどの不具合を生ずることがない。
【００２２】
この場合、ディスクトレイ３３は、その設置高さを平板部５１と略同一にした底板部４７Ａを有し、底板部４７Ａは、開口部５２内に収められるとともに、これに駆動部３７と光学ヘッド３８とが載置されており、平板部５１は、ディスクトレイ３３の前方の辺部に対応する連結部５５を含み、連結部５５は、底板部４７Ａよりも光ディスク４６から離れた位置に配置される。
【００２３】
ディスクトレイ３３上で、駆動部３７および光学ヘッド３８が載せ込まれた部分は、その厚み寸法が増大する傾向にある。この構成によれば、駆動部３７および光学ヘッド３８は、カバー３５の平板部５１と略同一の設置高さになった底板部４７Ａ上に載置される。このため、駆動部３７および光学ヘッド３８が設置されたことによって厚み寸法が増大したとしても、底板部４７Ａの配置を工夫することによって増大分を吸収することができる。これによって、光ディスク装置２５の厚み寸法の増大を防いで、ポータブルコンピュータ１１の薄型化を図ることができる。また、連結部５５は、底板部４７Ａよりも光ディスク４６から離れた位置に配置される。このため、ディスクトレイ３３が前後方向に進退する際に、連結部５５が底板部４７Ａと干渉してしまうことを防止することができる。
【００２４】
この場合、筐体２１は、キーボード２２を取り付けるための取付部２６を有し、取付部２６は、格子状に形成されるとともにカバー３５の壁部に沿って配置される枠部２８と、枠部２８の内側にそれぞれ形成される複数の貫通孔２７と、を有する。
【００２５】
キーボード２２の取付部２６に貫通孔２７を形成すると、筐体２１の軽量化を図ることができるが、一方で取付部２６に撓みを生じやすくなる。上記の構成によれば、枠部２８がカバー３５の壁部５３に沿って配置されるため、ユーザがキーボード２２を押下して取付部２６が撓もうとする際に、枠部２８を光ディスク装置２５の壁部５３によって受けることができる。これによって、筐体２１の軽量化を図るとともに、筐体２１の強度が低下してしまうことを防止することができる。
【００２６】
この場合、筐体２１は、駆動部３７の形状に倣うように窪んで形成させた凹部３２を有する。この構成によれば、光ディスク装置２５を筐体２１に近づけて配置することができる。これにより、駆動部３７と筐体２１とが接触してしまうことを防止するとともに、ポータブルコンピュータ１１の薄型化を図ることができる。
【００２７】
本発明の電子機器は、ポータブルコンピュータ１１用に限らず、例えば携帯情報端末のようなその他の電子機器に対しても実施可能である。その他、電子機器は、発明の要旨を逸脱しない範囲で種々変形して実施することができる。
【図面の簡単な説明】
【００２８】
【図１】実施形態に係るポータブルコンピュータを示す斜視図。
【図２】図１に示す筐体の第１の部分および光ディスク装置を下側から示す斜視図。
【図３】図２に示す第１の部分を光ディスク装置を取り外した状態で示す斜視図。
【図４】図１に示すポータブルコンピュータのＦ４−Ｆ４線に沿った断面図。
【図５】図２に示す光ディスク装置を上方から示す上面図。
【図６】図５に示す光ディスク装置をディスクトレイを前方に引き出した状態で示す上面図。
【図７】図５に示す光ディスク装置を下方から示す下面図。
【図８】図７に示す光ディスク装置をディスクトレイを前方に引き出した状態で示す下面図。
【図９】図５に示す光ディスク装置をベゼルを取り外した状態で、正面から示す正面図。
【符号の説明】
【００２９】
１１…ポータブルコンピュータ、２１…筐体、２５…光ディスク装置、２６…取付部、２７…貫通孔、２８…枠部、３２…凹部、３３…ディスクトレイ、３３Ａ…一方の面、３３Ｂ…他方の面、３５…カバー、３６…レール、３７…駆動部、３８…光学ヘッド、４６…光ディスク、４７Ａ…底板部、５１…平板部、５２…開口部、５３…壁部、５４…開放部、５５…連結部
【図１】
0004322941.tif 000002
【図２】
0004322941.tif 000003
【図３】
0004322941.tif 000004
【図４】
0004322941.tif 000005
【図５】
0004322941.tif 000006
【図６】
0004322941.tif 000007
【図７】
0004322941.tif 000008
【図８】
0004322941.tif 000009
【図９】
0004322941.tif 000010